(57)【特許請求の範囲】
【請求項１】
情報を提示する提示部と、
生体から排出される気体に含まれているアセトンの濃度を測定した結果に基づいて、基準時間あたりの脂肪の燃焼量を導出する導出部と、
前記脂肪の燃焼量を食品の体積に換算し、換算した前記食品の体積を表す情報を前記提示部に提示させる制御部と、
を備える脂肪燃焼量提示装置。
【請求項２】
前記制御部は、前記基準時間あたりの脂肪の燃焼量から換算した前記脂肪の体積を表す情報と、身体に蓄積されている脂肪の体積を表す情報とを、前記提示部に提示させる、請求項１に記載の脂肪燃焼量提示装置。
【請求項３】
前記制御部は、前記基準時間あたりの脂肪の燃焼量に基づいて身体の変化量を予測し、予測した前記変化量を、前記提示部に提示させる、請求項１又は請求項２に記載の脂肪燃焼量提示装置。
【請求項４】
前記制御部は、予め想定された食事量と、前記基準時間あたりの脂肪の燃焼量とに基づいて、前記変化量を予測する、請求項３に記載の脂肪燃焼量提示装置。
【請求項５】
前記制御部は、前記基準時間あたりの脂肪の燃焼量に応じて、前記提示部に助言を提示させる、請求項１から請求項４のいずれか一項に記載の脂肪燃焼量提示装置。
【請求項６】
脂肪燃焼量提示装置における脂肪燃焼量提示方法であって、
生体から排出される気体に含まれているアセトンの濃度を測定した結果に基づいて、基準時間あたりの脂肪の燃焼量を導出するステップと、
前記脂肪の燃焼量を食品の体積に換算し、換算した前記食品の体積を表す情報を提示部に提示させるステップと、
を含む脂肪燃焼量提示方法。
【請求項７】
コンピュータに、
生体から排出される気体に含まれているアセトンの濃度を測定した結果に基づいて、基準時間あたりの脂肪の燃焼量を導出する手順と、
前記脂肪の燃焼量を食品の体積に換算し、換算した前記食品の体積を表す情報を提示部に提示させる手順と、
を実行させるための脂肪燃焼量提示プログラム。
【発明の詳細な説明】
【技術分野】
【０００１】
本発明は、脂肪燃焼量提示装置、脂肪燃焼量提示方法、及び、脂肪燃焼量提示プログラムに関する。
【背景技術】
【０００２】
従来、酸素の摂取量や二酸化炭素の排出量に基づく熱量、呼気に含まれているアセトンの濃度、又は、皮膚ガスに含まれているアセトンの濃度に基づいて、［kcal］等のエネルギー単位で、使用者の脂肪の燃焼量を表示する装置が知られている（例えば、特許文献１参照）。
【０００３】
しかしながら、従来の装置は、使用者の脂肪の燃焼量が多いのか又は少ないのかということが、使用者自身にとっては評価しにくいものであった。つまり、従来の装置の使用者は、自身の脂肪の燃焼量が適正であるかどうかを、専門家による判断がなければ評価することが困難であった。
【先行技術文献】
【特許文献】
【０００４】
【特許文献１】特開２００７−０８９６９９号公報
【発明の概要】
【発明が解決しようとする課題】
【０００５】
本発明が解決しようとする課題は、使用者自身にとって評価が容易となるように脂肪の燃焼量を提示することができる、脂肪燃焼量提示装置、脂肪燃焼量提示方法、及び、脂肪燃焼量提示プログラムを提供することである。
【課題を解決するための手段】
【０００６】
本発明の一態様は、情報を提示する提示部と、生体排出物に含まれている物質の濃度を測定した結果に基づいて、基準時間あたりの脂肪の燃焼量を導出する導出部と、前記脂肪の燃焼量を食品の体積に換算し、換算した前記食品の体積を表す情報を前記提示部に提示させる制御部と、を備える脂肪燃焼量提示装置である。
【発明の効果】
【０００７】
本発明の一態様によれば、生体排出物に含まれている物質の濃度を測定した結果に基づいて、基準時間あたりの脂肪の燃焼量を導出し、導出した脂肪の燃焼量を食品の体積に換算し、換算した食品の体積を表す情報を提示部に提示させることにより、使用者自身にとって評価が容易となるように脂肪の燃焼量を提示することができる。
【図面の簡単な説明】
【０００８】
【図１】第１の実施形態における、ガス測定装置を表側から見た外観構成図である
【図２】第１の実施形態における、ガス測定装置を裏側から見た外観構成図である。
【図３】第１の実施形態における、半導体式ガスセンサユニットが取り外された状態のガス測定装置の外観構成図である。
【図４】第１の実施形態における、ガス測定装置の制御関係の構成図である。
【図５】第１の実施形態における、脂肪燃焼量提示装置の構成図である。
【図６】脂肪燃焼量提示装置が利用する、アセトンの濃度と脂肪の燃焼量との関係を示す図である。
【図７】男性の脂肪の燃焼度を導出するためのデータテーブルを示す図である。
【図８】女性の脂肪の燃焼度を導出するためのデータテーブルを示す図である。
【図９】脂肪の燃焼度の提示例を示す図である。
【図１０】脂肪の燃焼量の他の提示例を示す図である。
【図１１】脂肪の燃焼量から換算した食品の体積の表示例を示す図である。
【図１２】脂肪の燃焼量から換算した体積を表す情報と、身体に蓄積されている脂肪の体積を表す情報との提示例を示す図である。
【図１３】脂肪の燃焼量から換算した体積を表す情報と、基準体積を表す情報との提示例を示す図である。
【図１４】身体に蓄積されている脂肪の変化量を表す情報の提示例を示す図である。
【図１５】身体に蓄積されている脂肪の変化量と、身体の胴囲の変化量との関係を示す図である。
【図１６】身体の胴囲の変化量を表す情報の提示例を示す図である。
【図１７】脂肪燃焼量提示装置の動作を示すフローチャートである。
【図１８】第２の実施形態における、脂肪燃焼量提示装置の構成図である。
【発明を実施するための形態】
【０００９】
以下、図面を参照し、本発明のガス測定装置（使用者の呼気等の生体排出物に含まれている特定のガス成分を測定する装置）と脂肪燃焼量提示装置の実施形態について説明する。必要に応じてＸＹＺ座標系を用いて図示および説明を行う。
【００１０】
（第１の実施形態）
第１の実施形態では、脂肪燃焼量提示装置はガス測定装置に内蔵されるものとして説明する。
【００１１】
図１は、第１の実施形態における、ガス測定装置１を表側から見た外観構成図である。ガス測定装置１は、使用者によってカバー部３が図中Ｘ方向にスライド操作されることによって、開状態と閉状態のいずれかに保持される。なお、図１の左図はガス測定装置１の開状態を示し、図１の右図はガス測定装置１の閉状態を示している。
【００１２】
ガス測定装置１は、本体部２と、閉状態において本体部２の一部を覆うカバー部３とを備える。本体部２の第１面における、開状態においてのみ露出する部分には、吹き込み口１０と、提示部２０と、操作部３０とが設けられている。
【００１３】
開状態のガス測定装置１には、中空構造のアタッチメント１２が、吹き込み口１０に着脱可能に挿入されて取り付けられる。更に、アタッチメント１２には、ストロー（不図示）が装着される。このストロー及びアタッチメント１２を介して、使用者の呼気が、吹き込み口１０に吹き込まれる。
【００１４】
なお、吹き込み口１０には、ストローを装着しない形態のアタッチメント１２を介して、使用者の呼気が吹き込まれてもよい。また更に、吹き込み口１０は、アタッチメント１２を取り付けない形態でもよい。アタッチメント１２を取り付けない形態では、使用者の呼気は、吹き込み口１０に直接吹き込まれる。
【００１５】
提示部２０は、例えば、液晶ディスプレイ装置や有機ＥＬ（Electroluminescence）表示装置などの表示装置である。提示部２０の表示内容は、後述するＣＰＵ９０によって決定される。提示部２０は、設定画面、測定結果を示す画面等により、使用者に対して各種情報を表示する表示部を備える。提示部２０は、音声を出力する音声出力部を備えてもよい。操作部３０は、使用者による各種操作（電源のオンオフ、ユーザ情報等の入力、画面のスクロール等）を受け付ける。操作部３０に対してなされた操作の内容は、操作信号として、後述するＣＰＵ９０に出力される。
【００１６】
また、ガス測定装置１の本体部２には、閉状態においてカバー部３と連続した表面形状をなすように形成されたベース部５が形成されている。ベース部５のカバー部３に当接する側の端部には、カバー部３の端部に対応する形状を有し、閉状態においてカバー部３と密着して気密性を向上させるための部材６が取り付けられている。部材６は、例えば、ゴム（例えば、シリコンゴム）、エラストマーなどの弾性素材によって形成される。部材６には、図中Ｙ方向に関する中央部付近において、使用者が開操作をしやすいように、図中−Ｘ方向に進むに連れて＋Ｚ方向にせり上がる傾斜を有する、つまみ部６Ａが設けられている。
【００１７】
図２は、第１の実施形態における、ガス測定装置１を裏側から見た外観構成図である。図２の左図はガス測定装置１の開状態を示し、図２の右図はガス測定装置１の閉状態を示している。本体部２の第２面における、開状態においてのみ外部に露出する部分には、吸着剤収容部５０と、孔部５２、５４、５６が設けられている。なお、図２において、つまみ部６Ａは、図中−Ｘ方向に進むに連れて−Ｚ方向にせり上がる傾斜を有する。
【００１８】
吸着剤収容部５０の内部には、活性炭等のガス吸着剤が収容される。ガス測定装置１の閉状態において、活性炭が収容された空間は、孔部５２、本体部２とカバー部３の隙間、および孔部５４または５６を介して、後述する半導体式ガスセンサ（第１ガスセンサ）６６の置かれた空間と連通し、閉鎖空間を形成する。これによって、ガス測定装置１が閉状態にされている間、半導体式ガスセンサ６６の置かれた閉鎖空間から各種ガス成分が除去され、半導体式ガスセンサ６６の被毒や劣化を抑制することができる。なお、活性炭に代えて（または加えて）、ゼオライト、モレキュラーシーブ、シリカゲル等のガス吸着剤が収容されてもよい。
また、活性炭が収容された空間と、後述する第２センサ７２の置かれた空間とが連通して形成された閉鎖空間によって、第２センサ７２に対して被毒や劣化を抑制することもできる。
【００１９】
ガス測定装置１には、本体部２に対して着脱可能（交換可能）な半導体式ガスセンサユニット６０が取り付けられる。図３は、第１の実施形態における、半導体式ガスセンサユニット６０が取り外された状態のガス測定装置１の外観構成図である。半導体式ガスセンサユニット６０は、本体部２に嵌合可能な筐体６２の内部に、半導体式ガスセンサ６６の他、センサ基板や制御回路を収容している。半導体式ガスセンサ６６は、筐体６２に設けられた孔部６２Ａを介して筐体６２の外部に検知面を突出させる。半導体式ガスセンサ６６の検知面には、酸化スズ（ＳｎＯ２）などが形成されており、アセトンなどの検出対象ガス、あるいはその他の干渉ガスが触れると、電気抵抗が低下するようになっている。また、半導体式ガスセンサ６６は、ヒータおよび電極を備える。半導体式ガスセンサ６６は、検知面における電気抵抗の低下に基づいて、検出対象ガスの濃度を検出する。
【００２０】
使用者の呼気には、ケトン体、エタノール、アセトアルデヒド等の様々な種類のガスが含まれている。半導体式ガスセンサ６６は、例えば、ケトン体の一種であるアセトンに対して高い感度を示す。アセトンは脂質代謝の副産物であり、呼気に含まれているアセトンの濃度は脂質代謝の量を示す指標値となる。体内に糖質エネルギーが十分に存在する場合には脂肪が燃焼されないため、呼気に含まれるアセトンの濃度は低くなり、体内に糖質エネルギーが不足すると脂肪が燃焼されるため、呼気に含まれるアセトンの濃度は高くなる。
【００２１】
ここで、本体部２の表面、カバー部３、および半導体式ガスセンサユニット６０の筐体は、例えば、ＡＢＳ（Acrylonitrile  Butadiene  Styrene）樹脂やポリカーボネード等で形成される。また、部材６は、例えば、ゴム（例えば、シリコンゴム）やエラストマー等の弾性部材である。また、提示部２０の表面は、例えば、ＡＳ（Acrylonitrile  Styrene）樹脂やアクリル樹脂などで形成される。また、操作部３０のボタン部は、ＡＢＳ樹脂やシリコンゴム等で形成される。
【００２２】
図４は、第１の実施形態における、ガス測定装置１の制御関係の構成図である。ガス測定装置１は、前述した構成の他、第２センサ７２、タイマ８２、電源８４、ＣＰＵ（Central  Processing  Unit）９０、ＲＯＭ（Read  Only  Memory）９２、ＲＡＭ（Random  Access  Memory）９４、不揮発性メモリ９６などを備える。これらの構成要素は、Ｉ／Ｏ９８を介して通信可能に接続されている。
【００２３】
第２センサ７２は、半導体式ガスセンサ６６とは被毒寿命が異なるセンサである。ＣＰＵ９０は、ガス測定装置１の各部を制御する。ＣＰＵ９０は、例えば、半導体式ガスセンサ６６の検出値と、第２センサ７２の検出値との双方を加味して、ガス測定装置１の測定結果を確定する処理を行う。ＲＯＭ９２には、ＣＰＵ９０が実行するブートプログラムなどが格納されている。ＲＡＭ９４は、ＣＰＵ９０が処理を行う際のワーキングメモリとして機能する。不揮発性メモリ９６には、ＣＰＵ９０が実行するプログラムやガス測定装置１が保持する使用者のデータなどが格納される。使用者のデータは、例えば、使用者の身体に蓄積されている脂肪（体脂肪）の体積を表す情報や、使用者の体格を表す情報（体格指数）である。
【００２４】
脂肪燃焼量提示装置１００の詳細について説明する。
図５は、第１の実施形態における、脂肪燃焼量提示装置１００の構成図である。上述したように、第１の実施形態では、脂肪燃焼量提示装置１００は、ガス測定装置１に内蔵されている。脂肪燃焼量提示装置１００は、ＣＰＵ９０と、Ｉ／Ｏ９８と、提示部２０とを備える。ＣＰＵ９０は、導出部１１０と、制御部１２０とを備える。
【００２５】
図６は、脂肪燃焼量提示装置１００が利用する、アセトンの濃度と脂肪の燃焼量との関係を示す図である。横軸は、「アセトン濃度［ppb］×基準となる経過時間」を示す。縦軸は、脂肪の燃焼量（脂肪燃焼量）［Δkg］を示す。図６の実線に示す関係は、２次式（曲線近似式）である評価式（１）によって表現される。導出部１１０は、評価式（１）に基づいて、基準時間経過後の脂肪燃焼量ｙを導出する。基準時間は、例えば、１時間、２４時間又は３日間などの予め定められた時間である。なお、導出部１１０は、ルックアップテーブルを利用して、基準時間経過後の脂肪燃焼量ｙを導出してもよい。また、導出部１１０は、関数演算を実行することによって、各種の値を導出してもよい。
【００２６】
基準時間経過後の脂肪燃焼量ｙ［Δkg］
＝ｋ１（Ｉ×ｔ）２＋ｋ２（Ｉ×ｔ）+ｋ３    …（１）
【００２７】
ここで、Ｉは、ケトン体の濃度を示す。このケトン体は、例えば、アセトンである。ｔは、基準となる経過時間を示す。ｋ１、ｋ２、及びｋ３は、それぞれ係数である。図６に示すＲは、相関係数を示す。上述したように、脂肪燃焼量と、生体排出物（呼気）に含まれているアセトンの濃度との間には、正の相関関係がある。
【００２８】
また、図６の破線に示す関係は、１次式（直線近似式）である評価式（２）によって表現される。導出部１１０は、評価式（２）に基づいて、脂肪燃焼量を導出してもよい。評価式（２）に示すＩは、ケトン体の濃度を示す。ｔは、基準となる経過時間を示す。ｋ４及びｋ５は、それぞれ係数である。
【００２９】
基準時間経過後の脂肪燃焼量ｙ［Δkg］＝ｋ４（Ｉ×ｔ）+ｋ５    …（２）
【００３０】
なお、導出部１１０は、３次以上の評価式に基づいて、脂肪燃焼量を導出してもよいし、指数関数や対数関数等に基づいて脂肪燃焼量を導出してもよい。また、導出部１１０は、「１／（呼気に含まれているケトン体の濃度×時間）」のように逆数をとる曲線近似式に基づいて、脂肪燃焼量を導出してもよい。
【００３１】
追い込んだダイエットによってケトン体の濃度が基準濃度よりも高い場合や、脂肪燃焼量の長期的な変化を推定する場合には、直線近似式よりも曲線近似式のほうが、正確性が向上する可能性がある。そこで、導出部１１０は、一例として、２次式（曲線近似式）である評価式（１）に基づく評価式（３）によって、１日あたりの脂肪燃焼量ｙを導出する。評価式（３）において、ｔ’は、基準時間の一例としての１日（２４時間）を示す。基準となる経過時間ｔと、係数ｋ１と、係数ｋ２とを、例えば１日を１分単位で表現して定める場合、ｔ’は１４４０（＝６０×２４）である。
【００３２】
１日あたりの脂肪燃焼量ｙ［g/day］
＝ｋ１（Ｉ×ｔ’）２＋ｋ２（Ｉ×ｔ’）＋ ｋ３    …（３）
【００３３】
図７は、男性の脂肪の燃焼度を導出するためのデータテーブルを示す図である。また、図８は、女性の脂肪の燃焼度を導出するためのデータテーブルを示す図である。
【００３４】
導出部１１０は、例えば、脂肪の燃焼度を導出するためのデータテーブル（図７又は図８）と、評価式（３）とに基づいて、測定時の使用者の脂肪の燃焼度（脂質代謝度）を導出する。基準時間あたりの脂肪燃焼量ｙの単位は、例えば、［kcal／時］又は［kcal／日］である。図７又は図８に示すように、脂肪の燃焼度を導出するためのデータテーブルでは、年齢と、体格を表す情報と、１日あたりの脂肪燃焼量ｙの標準範囲とが対応付けられている。体格を表す情報は、ＢＭＩ（Body  Mass  Index）や、体脂肪率（％FAT）である。また、体格を表す情報は、体脂肪率とＢＭＩを組み合わせた指数でもよい。なお、図７又は図８に示す年齢の区分は、一例である。
【００３５】
また、導出部１１０は、１日あたりの脂肪燃焼量ｙ［g/day］を、データテーブル中の標準範囲と比較する。また、導出部１１０は、比較結果に基づいて、１日あたりの脂肪燃焼量ｙを評価する。１日あたりの脂肪燃焼量ｙが標準範囲よりも低い場合、導出部１１０は、脂肪の燃焼度が低いと判定する。１日あたりの脂肪燃焼量ｙが標準範囲内である場合、導出部１１０は、脂肪の燃焼度が普通であると判定する。１日あたりの脂肪燃焼量ｙよりも高い場合、導出部１１０は、脂肪の燃焼度が高いと判定する。なお、図７又は図８に示すデータテーブル中の評価区分は、統計的に差異の出やすい区分に修正可能である。評価区分は、更に細分化されて、例えば、６区分や９区分に修正可能である。また、導出部１１０は、「高い、普通、低い」の３段階ではなく、２段階、または４段階以上で、脂肪の燃焼度を判定してもよい。
【００３６】
制御部１２０は、脂肪の燃焼度を表す情報を導出部１１０から取得し、取得した脂肪の燃焼度を表す情報に基づく情報を、提示部２０の表示装置に表示させる。
図９は、脂肪の燃焼度の提示例を示す図である。制御部１２０は、例えば、測定時の脂肪の燃焼度（現在の体脂肪燃焼度）を示す長さの矢印の画像と、強火又は弱火を表す画像とを提示部２０の表示装置に表示させることによって、脂肪の燃焼度を表す情報を使用者に提示する。
【００３７】
図１０は、脂肪の燃焼量の他の提示例を示す図である。図１０に示すように、脂肪燃焼量を表す情報は、測定時の脂肪の燃焼度に応じた時速や、体重の変化方向（減少方向、増加方向）によって表現されてもよい。なお、図９と図１０に示す画像は、例えば使用者が操作部３０を操作することによって、交互に切り替えられてよい。
【００３８】
また、制御部１２０は、脂肪の燃焼量を表す情報を導出部１１０から取得し、取得した脂肪の燃焼量を食品の体積に換算し、換算した食品の体積を表す情報を提示部に提示させる。
図１１は、脂肪の燃焼量から換算した食品（以下、「換算物」という。）の体積の表示例を示す図である。換算物は、例えば、バター、脂身、サラダ油、生クリームなどの脂質を含む食品（食用油脂）である。また、換算物は、ご飯、パン、パスタ、ケーキ等の糖質を含む食品であってもよい。
【００３９】
換算した食品の体積は、例えば、大さじ（１５［cc］）、小さじ（５［cc］）、カップ（２００［cc］）又はペットボトル（５００［ミリリットル］）などの器を用いて表現される。また、換算した食品の体積は、［cm3］、［cc］、［リットル］などの単位を用いて表現されてもよいし、食品が収容される器や、それらの個数などによって表現されてもよい。どのような換算物を表示するかは、予め定められていてもよいし、使用者が操作部３０を操作することによって操作信号に基づいて選択可能にしてもよい。また、制御部１２０は、操作信号に基づく代わりに脂肪の燃焼量の多さに応じて、表示する換算物を切り替えてもよい。
【００４０】
制御部１２０は、例えば、単位体積あたりの換算物（食品）が有するエネルギー量Ｅ［kcal/cm3］と、単位エネルギー量が身体に吸収された場合に脂肪として蓄積される量Ｆ［g/kcal］との関係を表す値（＝Ｅ×Ｆ）に基づく換算式（４）に基づいて、脂肪の燃焼量（消費される脂肪の量）Ｃｆ［g］を、その換算物の体積［cm3］に換算する。また、単位エネルギー量が身体に吸収された場合に脂肪として蓄積される量Ｆ［g/kcal］は、例えば男女別、年齢別の値として、不揮発性メモリ９６に予め記憶されている。なお、単位体積あたりの食品が有するエネルギー量Ｅには、その食品が身体に吸収される率（吸収率）が考慮されてもよい。
【００４１】
換算物の体積［cm3］＝Ｃｆ［g］／（Ｅ［kcal/cm3］×Ｆ［g/kcal］）    …（４）
【００４２】
また、制御部１２０は、導出部１１０から取得した脂肪の燃焼量［g］を、換算式（５）に基づいて、換算物（食用油脂）の体積に換算してもよい。
【００４３】
食用油脂の密度＝０．８〜０．９［g/cm3］    …（５）
【００４４】
また、例えば、制御部１２０は、導出部１１０から取得した脂肪の燃焼量［g］を、換算式（６）に基づいて、脂肪の体積［cm3］に換算してもよい。換算式（６）に示す脂肪の密度αは、性別、年齢、人種等に応じて可変である。
【００４５】
脂肪の密度＝α［g/cm3］    …（６）
【００４６】
なお、制御部１２０は、換算式を用いる代わりにルックアップテーブルを利用して、脂肪の燃焼量を、換算物や脂肪の体積に換算してもよい。また、制御部１２０は、関数演算を実行することによって、各種の値を導出してもよい。
【００４７】
制御部１２０は、脂肪の燃焼量を現実的な体積に換算し、換算した体積を表す画像を、提示部２０に表示させてもよい。なお、この換算した体積は、例えば、「バター大さじ×４杯分」のように、数字、文字列や記号を用いて表示されてもよい。
【００４８】
図１２は、脂肪の燃焼量から換算した体積を表す情報と、身体に蓄積されている脂肪の体積を表す情報との提示例を示す図である。制御部１２０は、使用者の身体に蓄積されている脂肪の量［kg］を、換算式（６）に基づいて脂肪の体積に換算する。制御部１２０は、基準時間後（２４時間後）までの脂肪の燃焼量［g］を、換算式（６）に基づいて脂肪の体積に換算する。
【００４９】
制御部１２０は、例えば、使用者の身体に蓄積されている脂肪の量及び体積（身体の蓄積脂肪体積）と、基準時間後までの脂肪の燃焼量及びその体積（消費する脂肪体積）とを、立方体を表す図形等を用いて比較可能に、提示部２０に表示させる。また、制御部１２０は、使用者の身体に蓄積されている脂肪の量及び体積と、基準時間後までの脂肪の燃焼量及びその体積とを、比率を表す値等を用いて比較可能に、提示部２０に表示させてもよい。これによって、制御部１２０は、使用者の身体に蓄積されている脂肪の量及び体積と、基準時間後までの脂肪の燃焼量及びその体積とを、視覚的に分かりやすく、提示部２０に表示させることができる。
【００５０】
図１３は、脂肪の燃焼量から換算した体積を表す情報と、基準体積を表す情報との提示例を示す図である。制御部１２０は、単位重量（例えば、１［kg］）の脂肪の体積を、使用者が評価しやすい体積を用いて表現してもよい。使用者が評価しやすい体積とは、例えば、小さじ、大さじ、カップ、ペットボトル等を単位とした体積である。制御部１２０は、使用者が評価しやすい体積を表す画像と、基準時間後までの脂肪の燃焼量の体積とを、比較可能に提示部２０に表示させる。
【００５１】
図１４は、身体に蓄積されている脂肪の変化量を表す情報の提示例を示す図である。制御部１２０は、評価式（３）によって算出した１日あたりの脂肪燃焼量ｙと、換算式（７）とに基づいて、使用者の身体における基準日数後の脂肪の変化量を算出する。基準日数は、例えば、操作部３０を介して設定される。
【００５２】
基準日数後の脂肪の変化量［g］
＝１日あたりの脂肪燃焼量ｙ［g/day］×基準日数［day］    …（７）
【００５３】
なお、長期間における脂肪の変化量は、時間経過に応じて直線的には変化しない場合がある。このため、制御部１２０は、基準日数に応じて、脂肪の変化量を補正してもよい。また、制御部１２０は、想定される食事量を加味して、脂肪の変化量を補正してもよい。
【００５４】
制御部１２０は、基準日数後までの脂肪の変化量を、換算式（６）に基づいて、脂肪の体積に換算する。制御部１２０は、基準日数後までの脂肪の変化量の体積と、換算式（８）とに基づいて、基準日数後の使用者の身体に蓄積されている脂肪の体積（蓄積脂肪体積）を算出する。この脂肪の体積の単位は、例えば、［cm3］、［cc］、［リットル］である。
【００５５】
基準日数後の蓄積脂肪体積
＝現在の蓄積脂肪体積−基準日数後までの脂肪の変化量の体積    …（８）
【００５６】
使用者の身体に蓄積されている脂肪の体積（例えば、１４．４［リットル］）が、測定時の脂肪の燃焼度が維持された場合に基準日数後（例えば、３日後）にどの程度まで減るか（例えば、１３．９［リットル］）を、制御部１２０は、提示部２０に表示させる。
【００５７】
図１５は、身体に蓄積されている脂肪の変化量と、身体の胴囲の変化量との関係を示す図である。横軸は、脂肪の変化量［Δg］を示す。縦軸は、胴囲の変化量（ウエスト変化量）［Δcm］を示す。制御部１２０は、換算式（７）に基づく脂肪の変化量［Δg］と、直線近似式である予測式（９）とに基づいて、胴囲の変化量［Δcm］を算出する。予測式（９）に示す説明変数ｘは、脂肪の変化量［Δg］を表す。また、ｋ６及びｋ７は、それぞれ係数を示す。
【００５８】
胴囲の変化量［Δcm］＝ｋ６×ｘ＋ｋ７    …（９）
【００５９】
制御部１２０は、換算式（７）に基づく脂肪の変化量［Δg］と、曲線近似式である予測式（１０）とに基づいて、胴囲の変化量［Δcm］を算出する。予測式（１０）に示す説明変数ｘは、脂肪の変化量［Δg］を表す。また、ｋ６、ｋ７及びｋ８は、それぞれ係数を示す。なお、予測式は、３次以上の高次式でもよい。
【００６０】
胴囲の変化量［Δcm］＝ｋ８×ｘ２＋ｋ６×ｘ＋ｋ７    …（１０）
【００６１】
また、予測式（１１）は、一例として、脂肪の変化量［Δg］を中心とした複数の説明変数を用いた重回帰分析に基づいて定められた式である。
【００６２】
胴囲の変化量［Δcm］
＝ｋ９×ｘ１＋ｋ１０×ｘ２＋ｋ１１×ｘ３＋ｋ１２    …（１１）
【００６３】
ここで、ｘ１は、脂肪の変化量［Δg］を示す。ｘ２は、ＢＭＩ等の体格指数を示す。ｘ３は、年齢を示す。また、ｋ９、ｋ１０、ｋ１１及びｋ１２は、それぞれ係数を示す。なお、予測式は、例えば、体脂肪率、身長、体重などを示す各説明変数を有してもよい。また、予測式は、性別や人種別に異なる式でもよい。
【００６４】
図１６は、身体の胴囲の変化量を表す情報の提示例を示す図である。制御部１２０は、測定時の脂肪の燃焼度が維持された場合に基準日数後にどの程度まで胴囲が減るかを、例えば、予測式（９）〜（１１）のいずれかに基づいて算出する。
【００６５】
使用者の胴囲（例えば、６７［cm］）が、測定時の脂肪の燃焼度が維持された場合に基準日数後（例えば、３日後）にどの程度まで減るか（例えば、６５［cm］）を、制御部１２０は、提示部２０に表示させる。制御部１２０は、使用者の現在の体重や体組成データを取得していない場合、「−０．２［リットル］（減少）」、「−２［cm］（減少）」のように、変化量のみを提示部２０に表示させてもよい。
【００６６】
次に、脂肪燃焼量提示装置１００の動作を説明する。
図１７は、脂肪燃焼量提示装置１００の動作を示すフローチャートである。
まず、半導体式ガスセンサ６６が、使用者の呼気に含まれているアセトンの濃度を測定する（ステップＳ１０１）。
【００６７】
次に、導出部１１０が、アセトンの濃度の測定結果と、評価式（３）とに基づいて、その使用者の身体における基準時間（例えば、１時間）あたりの脂肪の燃焼量を導出する（ステップＳ１０２）。
次に、制御部１２０が、基準時間あたりの脂肪の燃焼量を表す情報（例えば、図９や図１０を参照）と、その脂肪の燃焼度を表す情報とに基づく情報を、提示部２０に提示させる。例えば、制御部１２０は、アセトンの濃度の測定結果と、評価式（３）とに基づいて、測定時の使用者の脂肪の燃焼度を、提示部２０に表示させる（ステップＳ１０３）。
【００６８】
制御部１２０は、具体的なイメージによって体積を表す情報を提示させるか否かを、操作部３０から取得した操作信号に基づいて判定する（ステップＳ１０４）。
体積を表す情報を提示させる場合（ステップＳ１０４：ＹＥＳ）、制御部１２０は、提示態様を表す情報を取得する（ステップＳ１０５）。
【００６９】
制御部１２０は、提示態様に基づいて、基準時間あたりの脂肪の燃焼量を、脂肪の体積に換算する。提示態様は、操作部３０から取得した操作信号に基づいて選択された食品を表す情報に基づいて定まる。選択された食品は、例えば、バター、脂身、サラダ油又は生クリームなどの脂質を含む食品である（ステップＳ１０６）。
【００７０】
制御部１２０は、換算した脂肪の体積を表す情報（例えば、「６０［cc］」）と、脂肪の燃焼量から換算した食品の体積を表す情報（例えば、「バター大さじ×４杯分」）とを、提示態様に基づいて提示部２０に提示させる（例えば、図１１を参照）。例えば、制御部１２０は、換算式（４）に基づいて、脂肪の燃焼量を、選択された食品の体積に換算する。制御部１２０は、その換算した体積に相当する食品の画像を、提示部２０に表示させる（ステップＳ１０７）。
【００７１】
制御部１２０は、その使用者の身体に蓄積されている脂肪の体積と、基準時間（例えば、２４時間）後までに燃焼する脂肪の体積とを比較可能に提示させるか否かを、操作部３０から取得した操作信号に基づいて判定する（ステップＳ１０８）。
体積を比較可能に提示させる場合（ステップＳ１０８：ＹＥＳ）、制御部１２０は、その使用者の身体に蓄積されている脂肪の量を、換算式（６）に基づいて、脂肪の体積に換算する（ステップＳ１０９）。使用者の身体に蓄積されている脂肪の量は、例えば、操作部３０から取得した操作信号に基づいて定められる。
【００７２】
制御部１２０は、基準時間あたりの脂肪の燃焼量から換算した体積を表す情報（例えば、「０．０６［リットル］」、「１／２４０」）と、その使用者の身体に蓄積されている脂肪の体積を表す情報（例えば、「１４．４［リットル］」）とを、提示部２０に提示させる（ステップＳ１１０）（例えば、図１２を参照）。制御部１２０は、その使用者の身体に蓄積されている脂肪の重量を、その同じ重量に内容物の重量が相当するペットボトルなどの画像を用いて表現してもよい。
【００７３】
制御部１２０は、基準時間あたりの脂肪の燃焼量に基づいて、その使用者の身体の変化量を表す情報を、提示部２０に提示させる。例えば、制御部１２０は、測定時の脂肪の燃焼度が維持された場合に、蓄積されている脂肪が基準時間（日数）後にどの程度まで減るかを（例えば、図１４を参照）、換算式（８）に基づいて換算して提示部２０に表示させる。
【００７４】
また、例えば、制御部１２０は、測定時の脂肪の燃焼度が維持された場合に、基準時間（基準日数）後に胴囲がどの程度まで減るかを（例えば、図１６を参照）、換算式（９）、（１０）又は（１１）に基づいて換算して表示させてもよい（ステップＳ１１１）。
【００７５】
制御部１２０は、助言を提示部２０に提示させるか否かを、操作部３０から取得した操作信号に基づいて判定する（ステップＳ１１２）。
助言を提示部２０に提示させる場合（ステップＳ１１２：ＹＥＳ）、制御部１２０は、身体の変化量に応じて、助言等を表す情報を提示部２０に提示させる。この助言等は、例えば、ダイエットに関するアドバイスである。ダイエットに関するアドバイスは、例えば、脂肪を体積に換算した結果を生かした助言等である。脂肪を体積に換算した結果を生かした助言等は、例えば、「ウエストを更に１［cm］細くさせるなら、どのようにダイエットすべきか」等を表す情報である（ステップＳ１１３）。制御部１２０は、図１７に示す動作を終了する。
【００７６】
体積を表す情報を提示させない場合（ステップＳ１０４：ＮＯ）、制御部１２０は、助言を提示部２０に提示させるか否かを、操作部３０から取得した操作信号に基づいて判定する（ステップＳ１１４）。
【００７７】
助言等を提示部２０に提示させる場合（ステップＳ１１４：ＹＥＳ）、制御部１２０は、脂肪の燃焼量に応じて、助言等を表す情報を提示部２０に提示させる。例えば、制御部１２０は、アセトンの濃度の測定結果に応じて、助言等を表す情報を提示部２０に提示させる。この助言等は、例えば、ダイエットに関する助言である。ダイエットに関する助言は、例えば、アセトンの濃度の測定結果に応じた、食事、運動又は生活の助言や、各種のおすすめ情報などである（ステップＳ１１５）。制御部１２０は、図１７に示す動作を終了する。
助言を提示部２０に提示させない場合（ステップＳ１１２：ＮＯ）、制御部１２０は、図１７に示す動作を終了する。
【００７８】
以上のように、第１の実施形態の脂肪燃焼量提示装置１００は、情報を提示する提示部２０と、生体排出物に含まれている物質の濃度を測定した結果に基づいて、基準時間あたりの脂肪の燃焼量を導出する導出部１１０と、脂肪の燃焼量を食品の体積に換算し、換算した食品の体積を表す情報を提示部２０に提示させる制御部１２０とを備える。
【００７９】
この構成によって、第１の実施形態の脂肪燃焼量提示装置１００は、使用者自身にとって評価が容易となるように脂肪の燃焼量を提示することができる。なお、導出部１１０は、呼気に含まれている物質の濃度に限らず、皮膚ガス、尿、唾液又は汗などの生体排出物に含まれている物質の濃度を測定した結果に基づいて、基準時間あたりの脂肪の燃焼量を導出してもよい。
【００８０】
脂肪燃焼量提示装置１００は、使用者にとって評価しやすい値に、換算式によって体脂肪を換算して、その換算の結果を表示することができる。換算式は、エネルギーから重量や体積への単なる換算式に限らなくてもよい。例えば、呼気に含まれる物質に基づく測定値と、体脂肪の変化量の測定値との関係性であって、経過時間に応じた関係性に基づいて、換算式は、統計的に作成された式でもよい。脂肪燃焼量提示装置１００は、その換算式を用いて、現実的な値や画像（イメージ）を表示することができる。
【００８１】
脂肪燃焼量提示装置１００の使用者は、自身の体脂肪がどの程度まで消費されているか（脂肪の燃焼量）を、侵襲的又は面倒な方法ではなく簡単な方法によって、呼気や皮膚ガスの検知結果に基づいて知ることができる。脂肪燃焼量提示装置１００の使用者は、脂肪の燃焼量の測定結果が自身と比較してどのくらいの大きさであって、自身のサイズや体組成にどの程度の影響があるのかを、容易に評価することができる。脂肪燃焼量提示装置１００の使用者は、ダイエット又は健康管理の動機づけや、その継続的な意欲等を得ることができる。
【００８２】
なお、測定した結果は、アセトン以外のケトン体の濃度を測定した結果でもよい。制御部１２０は、基準時間あたりの脂肪の燃焼量から換算した脂肪の体積を表す情報と、身体に蓄積されている脂肪の体積を表す情報とを、提示部２０に提示させてもよい。制御部１２０は、基準時間あたりの脂肪の燃焼量に基づいて身体の変化量を予測し、予測した変化量を、提示部２０に提示させてもよい。制御部１２０は、予め想定された食事量と、基準時間あたりの脂肪の燃焼量とに基づいて、変化量を予測してもよい。制御部１２０は、基準時間あたりの脂肪の燃焼量に応じて、提示部２０に助言を提示させてもよい。
【００８３】
第１の実施形態の脂肪燃焼量提示装置１００における脂肪燃焼量提示方法は、導出部１１０が、呼気に含まれている物質の濃度を測定した結果に基づいて、基準時間あたりの脂肪の燃焼量を導出するステップと、制御部１２０が、脂肪の燃焼量を食品の体積に換算し、換算した食品の体積を表す情報を提示部２０に提示させるステップとを含む。
【００８４】
第１の実施形態の脂肪燃焼量提示プログラムは、コンピュータに、呼気に含まれている物質の濃度を測定した結果に基づいて、基準時間あたりの脂肪の燃焼量を導出する手順と、脂肪の燃焼量を食品の体積に換算し、換算した食品の体積を表す情報を提示部２０に提示させる手順とを含む。
【００８５】
（第２の実施形態）
第２の実施形態では、脂肪燃焼量提示装置１００とガス測定装置１とが通信可能な別体の装置である点が、第１の実施形態と相違する。第２の実施形態では、第１の実施形態との相違点についてのみ説明する。
【００８６】
図１８は、第２の実施形態における、脂肪燃焼量提示装置１００の構成図である。第２の実施形態では、脂肪燃焼量提示装置１００は、ガス測定装置１と通信可能な別体の装置である。以下、第２の実施形態におけるガス測定装置１を、「ガス測定装置１ａ」という。ガス測定装置１ａは、インタフェース２００を更に備える。インタフェース２００は、半導体式ガスセンサ６６や第２センサ７２による測定結果等の情報を、脂肪燃焼量提示装置１００に送信する。
【００８７】
脂肪燃焼量提示装置１００は、例えば、スマートフォンやパーソナルコンピュータなどの情報端末や、リストバンドや眼鏡型表示装置などのウェアラブル機器である。第２の実施形態における脂肪燃焼量提示装置１００は、半導体式ガスセンサ６６と、第２センサ７２と、インタフェース２０１とを備える。インタフェース２０１は、半導体式ガスセンサ６６や第２センサ７２による測定結果等の情報を、ガス測定装置１ａから受信する。インタフェース２０１は、受信した測定結果等の情報を、Ｉ／Ｏ９８に転送する。ＣＰＵ９０は、受信した測定結果等の情報を、Ｉ／Ｏ９８を介して取得する。ＣＰＵ９０は、受信した測定結果等の情報に基づいて、第１の実施形態と同様に動作する。
【００８８】
以上のように、第２の実施形態の脂肪燃焼量提示装置１００は、情報を提示する提示部２０と、別体の装置であるガス測定装置１ａから受信した、呼気に含まれている物質の濃度を測定した結果を、インタフェース２０１を介して取得し、取得した結果に基づいて、基準時間あたりの脂肪の燃焼量を導出する導出部１１０と、脂肪の燃焼量を食品の体積に換算し、換算した食品の体積を表す情報を提示部２０に提示させる制御部１２０とを備える。
【００８９】
この構成によって、第２の実施形態の脂肪燃焼量提示装置１００は、使用者自身にとって評価が容易となるように脂肪の燃焼量を提示することができる。なお、導出部１１０は、皮膚ガス、尿、唾液又は汗に含まれている物質の濃度を測定した結果に基づいて、基準時間あたりの脂肪の燃焼量を導出してもよい。
【００９０】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００９１】
１…ガス測定装置、１ａ…ガス測定装置、２…本体部、３…カバー部、５…ベース部、６…部材、６Ａ…つまみ部、１０…吹き込み口、２０…提示部、３０…操作部、５０…吸着剤収容部、５２…孔部、５４…孔部、５６…孔部、６０…半導体式ガスセンサユニット、６０Ａ…半導体式ガスセンサユニット、６２…筐体、６２Ａ…孔部、６６…半導体式ガスセンサ、７２…第２センサ、７４…ソレノイドバルブ、７６…圧力センサ、８２…タイマ、８４…電源、９０…ＣＰＵ、９２…ＲＯＭ、９４…ＲＡＭ、９６…不揮発性メモリ、９８…Ｉ／Ｏ、１００…脂肪燃焼量提示装置、１１０…導出部、１２０…制御部、２００…インタフェース、２０１…インタフェース
【図１】
0006424387.tif 000002
【図２】
0006424387.tif 000003
【図３】
0006424387.tif 000004
【図４】
0006424387.tif 000005
【図５】
0006424387.tif 000006
【図６】
0006424387.tif 000007
【図７】
0006424387.tif 000008
【図８】
0006424387.tif 000009
【図９】
0006424387.tif 000010
【図１０】
0006424387.tif 000011
【図１１】
0006424387.tif 000012
【図１２】
0006424387.tif 000013
【図１３】
0006424387.tif 000014
【図１４】
0006424387.tif 000015
【図１５】
0006424387.tif 000016
【図１６】
0006424387.tif 000017
【図１７】
0006424387.tif 000018
【図１８】
0006424387.tif 000019